(57)【要約】【課題】本発明は高温廃水の循環利用装置を開示した。【解決手段】ウォーターポンプを含み、前記ウォーターポンプの左端には水入りパイプが固定的に連結され、前記水入りパイプの中には水入り通路が左右に貫通するように設置され、前記水入り通路が前記ウォーターポンプに連通しており、前記水入り通路の中にはフィルターが固定的に設置され、前記ウォーターポンプの右端には循環ウォーターパイプが固定的に連結され、本発明は熱交換パイプによって高温廃水の熱量を生活用水への加熱のエネルギーとして使い、また水の運動エネルギーを発電のエネルギーとして使え、しかも手で水流の量を制御し、高温廃水の熱交換効率を高められ、廃水を排出する前に水温を検査測定し、水流の流れ方向を制御できる。【選択図】図１
2020197366.tif 000002
【特許請求の範囲】
【請求項１】
正面視で、ウォーターポンプを含み、前記ウォーターポンプの左端には水入りパイプが固定的に連結され、前記水入りパイプの中には水入り通路が左右に貫通するように設置され、前記水入り通路が前記ウォーターポンプに連通しており、前記水入り通路の中にはフィルターが固定的に設置され、
前記ウォーターポンプの右端には循環ウォーターパイプが固定的に連結され、前記循環ウォーターパイプの中には左方に開口した貯水通路が設置され、前記貯水通路が前記ウォーターポンプに連通しており、前記貯水通路の右側内壁の中には快速通路が連通するように設置され、
前記快速通路の中には熱交換回収装置が設置され、熱交換回収装置は高温廃水の熱量を生活用の水の加熱に応用し、前記貯水通路の中には水流調節装置が設置され、手で前記水流調節装置を制御することによって前記貯水通路の中から前記快速通路の中に流れる水流の大きさを調節でき、
前記快速通路の前後両側の内壁の中には水出口が対称的に、且つ連通するように設置され、両側の前記水出口は対称中心に背を向ける方向に開口しており、前記快速通路の右側内壁の中には水温検査測定装置が設置され、前記水温検査測定装置は前記快速通路の中の水の温度を検査測定でき、且つ両側の前記水出口の開閉を制御でき、
前側の前記水出口の前側には発電装置が連結され、前記発電装置は水の運動エネルギーを発電するエネルギーとして使い、前記循環ウォーターパイプの後端には回流パイプが固定的に連結され、前記回流パイプの中には回流通路が貫通するように設置され、前記回流通路が前記貯水通路と後側の前記水出口とを連通することを特徴とする高温廃水の循環利用装置。
【請求項２】
前記熱交換回収装置は前記循環ウォーターパイプの中に固定的に設置された熱交換パイプを含み、前記熱交換パイプの中には熱交換通路が左右に貫通するように設置され、前記快速通路が前記熱交換通路に連通しており、前記熱交換パイプの上端には熱伝導ロッドが固定的に連結され、前記循環ウォーターパイプの上端には水タンクが固定的に連結され、前記水タンクの中には貯水チャンバが設置され、前記貯水チャンバの中には生活用水が貯蔵されており、前記熱伝導ロッドの上端が前記貯水チャンバの中に伸びており、且つ前記熱伝導ロッドの上端には加熱板が固定的に連結されていることを特徴とする請求項１に記載の高温廃水の循環利用装置。
【請求項３】
前記発電装置は前記循環ウォーターパイプの前端に固定的に連結された固定ブロックを含み、前記固定ブロックの中には水排出通路が前後に貫通するように設置され、前記水排出通路が前側の前記水出口に正対しており、前記水排出通路の右側内壁の中には連通チャンバが連通するように設置され、前記連通チャンバの上下内壁の間には回転輪軸が回転できるように連結され、前記回転輪軸の外周面には回転輪が固定的に連結され、前記回転輪の左端が前記水排出通路の中に伸びており、前記回転輪軸の下端が前記固定ブロックの外部に伸びており、且つ前記回転輪軸の下端には発電機が連結されていることを特徴とする請求項１に記載の高温廃水の循環利用装置。
【請求項４】
前記水流調節装置は前記貯水通路の中に固定的に設置された流れ制限板を含み、前記流れ制限板の中には水通り穴が左右に貫通するように設置され、前記水通り穴が前記快速通路に正対しており、前記流れ制限板の右側には止め板が前後対称的に、且つ前後にスライドできるように設置され、前記止め板が前記水通り穴に正対しており、前記水通り穴の上端にはコンロッドがヒンジで連結され、前記コンロッドの上端には上下にスライドできるスライドロッドがヒンジで連結され、
前記循環ウォーターパイプの上端には手動操作箱が固定的に連結され、前記手動操作箱の中には下方に開口した伝動チャンバが設置され、前記スライドロッドの上端が前記伝動チャンバの中に伸びており、前記スライドロッドの右端には方向ガイドロッドが固定的に連結され、前記方向ガイドロッドの右側には方向ガイド輪が回転できるように設置され、前記方向ガイド輪の中には左方に開口した螺旋溝が形成されており、前記方向ガイドロッドの右端が前記螺旋溝の中に伸びており、前記方向ガイド輪の右端には大歯車が固定的に連結され、前記大歯車の右端が前記伝動チャンバの右側内壁に回転できるように連結され、前記大歯車の上端には小歯車が噛み合うように設置され、前記小歯車の右端には連結軸が固定的に連結され、前記連結軸の右端が前記手動操作箱の外部に伸びており、且つ前記連結軸の右端には手動輪が固定的に連結されていることを特徴とする請求項１に記載の高温廃水の循環利用装置。
【請求項５】
前記止め板の左端が前記流れ制限板に当接しており、前記止め板の右端が前記貯水通路の右側内壁に当接していることを特徴とする請求項４に記載の高温廃水の循環利用装置。
【請求項６】
前記手動輪を回転させることによって前記止め板をスライド連動させ、且つ前記水通り穴と前記快速通路とを連通することができ、前記小歯車と前記大歯車との間は減速で伝動しており、それによって前記止め板の開けられる程度の正確性を高められることを特徴とする請求項４に記載の高温廃水の循環利用装置。
【請求項７】
前記水温検査測定装置は前記快速通路の右側内壁の中に連通するように設置されたバネ溝を含み、前記バネ溝の中には熱感応シートが固定的に設置され、前記熱感応シートの右端には熱伝導バネが固定的に連結され、前記バネ溝の右側内壁の中にはスライドガイド溝が連通するように形成されており、前記スライドガイド溝の中には第一スライド板がスライドできるように設置され、前記熱伝導バネの右端が前記第一スライド板に固定的に連結されていることを特徴とする請求項１に記載の高温廃水の循環利用装置。
【請求項８】
前記スライドガイド溝の上下両側内壁の中には凹溝が対称的に、且つ連通するように形成されており、前記凹溝の中には第二スライド板がスライドできるように設置され、前記第二スライド板のうち対称中心から離れている一端と前記凹溝のうち対称中心から離れている片側内壁との間には復帰バネが固定的に連結され、前記第二スライド板の中には左方に開口した引っ掛かり溝が設置され、前記凹溝の左側内壁の中には連通溝が連通するように形成されており、両側の前記連通溝がそれぞれ両側の前記水出口に連通しており、前記連通溝の中には仕切り板がスライドできるように設置され、両側の前記仕切り板の右端がそれぞれ両側の前記引っ掛かり溝の中に滑り込むことができ、前記仕切り板の左端と前記連通溝の左側内壁との間には伸縮バネが固定的に連結され、前記仕切り板の中には連通穴が前後に貫通するように設置されていることを特徴とする請求項７に記載の高温廃水の循環利用装置。
【請求項９】
前記第一スライド板がスライドして両側の前記第二スライド板を推し動かしてスライドさせ、更に両側の前記仕切り板を推し動かしてスライドさせ、更に前記水出口と前記連通穴とを連通し又は仕切ることを特徴とする請求項７に記載の高温廃水の循環利用装置。
【発明の詳細な説明】
【技術分野】
【０００１】
本発明は廃水処理分野に関わり、具体的には高温廃水の循環利用装置である。
【背景技術】
【０００２】
工業廃水を排出する時に廃水の温度が高いため、一般的に高温の廃水の余熱を回収し、熱水の熱量を循環利用し、エネルギーの浪費を減少し、高温廃水は回収された後に生産プロセスに使われ、又はボイラーの中に入れて発電に使用され、又は生活エネルギーとして使われ、しかし、今まで高温廃水を回収する方式は単一で、回収利用率は低く、エネルギーの浪費問題が厳しいのであり、本発明は高温廃水の循環利用装置を開示し、上記の問題を解決でき、本発明は熱交換パイプによって高温廃水の熱量を生活用水への加熱のエネルギーとして使い、また水の運動エネルギーを発電のエネルギーとして使え、しかも手で水流の量を制御し、高温廃水の熱交換効率を高められ、廃水を排出する前に水温を検査測定し、水流の流れ方向を制御できる。
【先行技術文献】
【特許文献】
【０００３】
【特許文献１】中国特許出願公開第１０５５８７００７号明細書
【発明の概要】
【発明が解決しようとする課題】
【０００４】
技術上の問題：
高温廃水の回収方式が単一で、回収利用率が低く、エネルギーの浪費問題が深刻である。
【課題を解決するための手段】
【０００５】
上記の問題を解決するために、本発明の実施例は高温廃水の循環利用装置をデザインし、本発明の実施例の高温廃水の循環利用装置は、ウォーターポンプを含み、前記ウォーターポンプの左端には水入りパイプが固定的に連結され、前記水入りパイプの中には水入り通路が左右に貫通するように設置され、前記水入り通路が前記ウォーターポンプに連通しており、前記水入り通路の中にはフィルターが固定的に設置され、高温廃水は前記水入り通路によって前記ウォーターポンプの中に流れ込み、前記フィルターは水の中の固体不純物が前記ウォーターポンプの中に流れ込むことを回避でき、前記ウォーターポンプの右端には循環ウォーターパイプが固定的に連結され、前記循環ウォーターパイプの中には左方に開口した貯水通路が設置され、前記貯水通路が前記ウォーターポンプに連通しており、前記貯水通路の右側内壁の中には快速通路が連通するように設置され、前記快速通路の中には熱交換回収装置が設置され、熱交換回収装置は高温廃水の熱量を生活用の水の加熱に応用し、前記貯水通路の中には水流調節装置が設置され、手で前記水流調節装置を制御することによって前記貯水通路の中から前記快速通路の中に流れる水流の大きさを調節でき、前記快速通路の前後両側の内壁の中には水出口が対称的に、且つ連通するように設置され、両側の前記水出口は対称中心に背を向ける方向に開口しており、前記快速通路の右側内壁の中には水温検査測定装置が設置され、前記水温検査測定装置は前記快速通路の中の水の温度を検査測定でき、且つ両側の前記水出口の開閉を制御でき、前側の前記水出口の前側には発電装置が連結され、前記発電装置は水の運動エネルギーを発電するエネルギーとして使い、前記循環ウォーターパイプの後端には回流パイプが固定的に連結され、前記回流パイプの中には回流通路が貫通するように設置され、前記回流通路が前記貯水通路と後側の前記水出口とを連通する。
【０００６】
有益なように、前記熱交換回収装置は前記循環ウォーターパイプの中に固定的に設置された熱交換パイプを含み、前記熱交換パイプの中には熱交換通路が左右に貫通するように設置され、前記快速通路が前記熱交換通路に連通しており、前記熱交換パイプの上端には熱伝導ロッドが固定的に連結され、前記循環ウォーターパイプの上端には水タンクが固定的に連結され、前記水タンクの中には貯水チャンバが設置され、前記貯水チャンバの中には生活用水が貯蔵されており、前記熱伝導ロッドの上端が前記貯水チャンバの中に伸びており、且つ前記熱伝導ロッドの上端には加熱板が固定的に連結され、前記熱交換パイプと高温廃水との接触によって、高温廃水の熱量を前記熱伝導ロッドによって前記加熱板に伝導し、更に前記貯水チャンバの中の水を加熱する。
【０００７】
有益なように、前記発電装置は前記循環ウォーターパイプの前端に固定的に連結された固定ブロックを含み、前記固定ブロックの中には水排出通路が前後に貫通するように設置され、前記水排出通路が前側の前記水出口に正対しており、前記水排出通路の右側内壁の中には連通チャンバが連通するように設置され、前記連通チャンバの上下内壁の間には回転輪軸が回転できるように連結され、前記回転輪軸の外周面には回転輪が固定的に連結され、前記回転輪の左端が前記水排出通路の中に伸びており、前記回転輪軸の下端が前記固定ブロックの外部に伸びており、且つ前記回転輪軸の下端には発電機が連結され、廃水が快速に前記水排出通路を通り、且つ前記回転輪を回転連動させ、更に前記回転輪軸を回転連動させ、更に前記発電機に発電することを駆動し始める。
【０００８】
有益なように、前記水流調節装置は前記貯水通路の中に固定的に設置された流れ制限板を含み、前記流れ制限板の中には水通り穴が左右に貫通するように設置され、前記水通り穴が前記快速通路に正対しており、前記流れ制限板の右側には止め板が前後対称的に、且つ前後にスライドできるように設置され、前記止め板が前記水通り穴に正対しており、前記水通り穴の上端にはコンロッドがヒンジで連結され、前記コンロッドの上端には上下にスライドできるスライドロッドがヒンジで連結され、前記循環ウォーターパイプの上端には手動操作箱が固定的に連結され、前記手動操作箱の中には下方に開口した伝動チャンバが設置され、前記スライドロッドの上端が前記伝動チャンバの中に伸びており、前記スライドロッドの右端には方向ガイドロッドが固定的に連結され、前記方向ガイドロッドの右側には方向ガイド輪が回転できるように設置され、前記方向ガイド輪の中には左方に開口した螺旋溝が形成されており、前記方向ガイドロッドの右端が前記螺旋溝の中に伸びており、前記方向ガイド輪の右端には大歯車が固定的に連結され、前記大歯車の右端が前記伝動チャンバの右側内壁に回転できるように連結され、前記大歯車の上端には小歯車が噛み合うように設置され、前記小歯車の右端には連結軸が固定的に連結され、前記連結軸の右端が前記手動操作箱の外部に伸びており、且つ前記連結軸の右端には手動輪が固定的に連結されている。
【０００９】
好ましくは、前記止め板の左端が前記流れ制限板に当接しており、前記止め板の右端が前記貯水通路の右側内壁に当接している。
【００１０】
好ましくは、前記手動輪を回転させることによって前記止め板をスライド連動させ、且つ前記水通り穴と前記快速通路とを連通することができ、前記小歯車と前記大歯車との間は減速で伝動しており、それによって前記止め板の開けられる程度の正確性を高められる。
【００１１】
有益なように、前記水温検査測定装置は前記快速通路の右側内壁の中に連通するように設置されたバネ溝を含み、前記バネ溝の中には熱感応シートが固定的に設置され、前記熱感応シートの右端には熱伝導バネが固定的に連結され、前記バネ溝の右側内壁の中にはスライドガイド溝が連通するように形成されており、前記スライドガイド溝の中には第一スライド板がスライドできるように設置され、前記熱伝導バネの右端が前記第一スライド板に固定的に連結され、前記熱感応シートによって前記快速通路の中の高温廃水の温度を検査測定し、また熱量を前記熱伝導バネに伝導し、更に前記熱伝導バネが伸びて前記第一スライド板を推し動かしてスライドさせる。
【００１２】
好ましくは、前記スライドガイド溝の上下両側内壁の中には凹溝が対称的に、且つ連通するように形成されており、前記凹溝の中には第二スライド板がスライドできるように設置され、前記第二スライド板のうち対称中心から離れている一端と前記凹溝のうち対称中心から離れている片側内壁との間には復帰バネが固定的に連結され、前記第二スライド板の中には左方に開口した引っ掛かり溝が設置され、前記凹溝の左側内壁の中には連通溝が連通するように形成されており、両側の前記連通溝がそれぞれ両側の前記水出口に連通しており、前記連通溝の中には仕切り板がスライドできるように設置され、両側の前記仕切り板の右端がそれぞれ両側の前記引っ掛かり溝の中に滑り込むことができ、前記仕切り板の左端と前記連通溝の左側内壁との間には伸縮バネが固定的に連結され、前記仕切り板の中には連通穴が前後に貫通するように設置されている。
【００１３】
好ましくは、前記第一スライド板がスライドして両側の前記第二スライド板を推し動かしてスライドさせ、更に両側の前記仕切り板を推し動かしてスライドさせ、更に前記水出口と前記連通穴とを連通し又は仕切る。
【発明の効果】
【００１４】
本発明の有益な効果は：本発明は熱交換パイプによって高温廃水の熱量を生活用水への加熱のエネルギーとして使い、また水の運動エネルギーを発電のエネルギーとして使え、しかも手で水流の量を制御し、高温廃水の熱交換効率を高められ、廃水を排出する前に水温を検査測定し、水流の流れ方向を制御できる。
【図面の簡単な説明】
【００１５】
説明しやすいために、本発明を下記の具体的な実施例及び附図をもって詳しく説明する。下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の高温廃水の循環利用装置の全体構成概略図
【図２】図２は図１の「Ａ」の拡大構成概略図
【図３】図３は図１の「Ｂ―Ｂ」方向の構成概略図
【図４】図４は図２の「Ｃ―Ｃ」方向の構成概略図
【図５】図５は図２の「Ｄ―Ｄ」方向の構成概略図
【図６】図６は図３の「Ｅ」の拡大構成概略図
【図７】図７は図６の「Ｆ―Ｆ」方向の構成概略図
【発明を実施するための形態】
【００１７】
本発明は高温廃水の循環利用装置に関わり、主に高温廃水の余熱の回収に応用し、下記に本発明の付図を合わせて本発明にさらなる説明を行う。
【００１８】
本発明に説明する高温廃水の循環利用装置は、ウォーターポンプ１１を含み、前記ウォーターポンプ１１の左端には水入りパイプ１４が固定的に連結され、前記水入りパイプ１４の中には水入り通路１３が左右に貫通するように設置され、前記水入り通路１３が前記ウォーターポンプ１１に連通しており、前記水入り通路１３の中にはフィルター１２が固定的に設置され、高温廃水は前記水入り通路１３によって前記ウォーターポンプ１１の中に流れ込み、前記フィルター１２は水の中の固体不純物が前記ウォーターポンプ１１の中に流れ込むことを回避でき、前記ウォーターポンプ１１の右端には循環ウォーターパイプ２８が固定的に連結され、前記循環ウォーターパイプ２８の中には左方に開口した貯水通路３０が設置され、前記貯水通路３０が前記ウォーターポンプ１１に連通しており、前記貯水通路３０の右側内壁の中には快速通路２６が連通するように設置され、前記快速通路２６の中には熱交換回収装置１０２が設置され、熱交換回収装置１０２は高温廃水の熱量を生活用の水の加熱に応用し、前記貯水通路３０の中には水流調節装置１０１が設置され、手で前記水流調節装置１０１を制御することによって前記貯水通路３０の中から前記快速通路２６の中に流れる水流の大きさを調節でき、前記快速通路２６の前後両側の内壁の中には水出口２５が対称的に、且つ連通するように設置され、両側の前記水出口２５は対称中心に背を向ける方向に開口しており、前記快速通路２６の右側内壁の中には水温検査測定装置１００が設置され、前記水温検査測定装置１００は前記快速通路２６の中の水の温度を検査測定でき、且つ両側の前記水出口２５の開閉を制御でき、前側の前記水出口２５の前側には発電装置１０３が連結され、前記発電装置１０３は水の運動エネルギーを発電するエネルギーとして使い、前記循環ウォーターパイプ２８の後端には回流パイプ４４が固定的に連結され、前記回流パイプ４４の中には回流通路４３が貫通するように設置され、前記回流通路４３が前記貯水通路３０と後側の前記水出口２５とを連通する。
【００１９】
実施例によって、下記に前記熱交換回収装置１０２について詳しく説明し、前記熱交換回収装置１０２は前記循環ウォーターパイプ２８の中に固定的に設置された熱交換パイプ２７を含み、前記熱交換パイプ２７の中には熱交換通路６０が左右に貫通するように設置され、前記快速通路２６が前記熱交換通路６０に連通しており、前記熱交換パイプ２７の上端には熱伝導ロッド１７が固定的に連結され、前記循環ウォーターパイプ２８の上端には水タンク１９が固定的に連結され、前記水タンク１９の中には貯水チャンバ１６が設置され、前記貯水チャンバ１６の中には生活用水が貯蔵されており、前記熱伝導ロッド１７の上端が前記貯水チャンバ１６の中に伸びており、且つ前記熱伝導ロッド１７の上端には加熱板１８が固定的に連結され、前記熱交換パイプ２７と高温廃水との接触によって、高温廃水の熱量を前記熱伝導ロッド１７によって前記加熱板１８に伝導し、更に前記貯水チャンバ１６の中の水を加熱する。
【００２０】
実施例によって、下記に前記発電装置１０３について詳しく説明し、前記発電装置１０３は前記循環ウォーターパイプ２８の前端に固定的に連結された固定ブロック５５を含み、前記固定ブロック５５の中には水排出通路５４が前後に貫通するように設置され、前記水排出通路５４が前側の前記水出口２５に正対しており、前記水排出通路５４の右側内壁の中には連通チャンバ５７が連通するように設置され、前記連通チャンバ５７の上下内壁の間には回転輪軸５８が回転できるように連結され、前記回転輪軸５８の外周面には回転輪５６が固定的に連結され、前記回転輪５６の左端が前記水排出通路５４の中に伸びており、前記回転輪軸５８の下端が前記固定ブロック５５の外部に伸びており、且つ前記回転輪軸５８の下端には発電機５９が連結され、廃水が快速に前記水排出通路５４を通り、且つ前記回転輪５６を回転連動させ、更に前記回転輪軸５８を回転連動させ、更に前記発電機５９に発電することを駆動し始める。
【００２１】
実施例によって、下記に前記水流調節装置１０１について詳しく説明し、前記水流調節装置１０１は前記貯水通路３０の中に固定的に設置された流れ制限板２９を含み、前記流れ制限板２９の中には水通り穴１５が左右に貫通するように設置され、前記水通り穴１５が前記快速通路２６に正対しており、前記流れ制限板２９の右側には止め板３１が前後対称的に、且つ前後にスライドできるように設置され、前記止め板３１が前記水通り穴１５に正対しており、前記水通り穴１５の上端にはコンロッド３２がヒンジで連結され、前記コンロッド３２の上端には上下にスライドできるスライドロッド３３がヒンジで連結され、前記循環ウォーターパイプ２８の上端には手動操作箱４１が固定的に連結され、前記手動操作箱４１の中には下方に開口した伝動チャンバ４２が設置され、前記スライドロッド３３の上端が前記伝動チャンバ４２の中に伸びており、前記スライドロッド３３の右端には方向ガイドロッド３４が固定的に連結され、前記方向ガイドロッド３４の右側には方向ガイド輪４０が回転できるように設置され、前記方向ガイド輪４０の中には左方に開口した螺旋溝３５が形成されており、前記方向ガイドロッド３４の右端が前記螺旋溝３５の中に伸びており、前記方向ガイド輪４０の右端には大歯車３９が固定的に連結され、前記大歯車３９の右端が前記伝動チャンバ４２の右側内壁に回転できるように連結され、前記大歯車３９の上端には小歯車３６が噛み合うように設置され、前記小歯車３６の右端には連結軸３８が固定的に連結され、前記連結軸３８の右端が前記手動操作箱４１の外部に伸びており、且つ前記連結軸３８の右端には手動輪３７が固定的に連結されている。
【００２２】
有益なように、前記止め板３１の左端が前記流れ制限板２９に当接しており、前記止め板３１の右端が前記貯水通路３０の右側内壁に当接している。
【００２３】
有益なように、前記手動輪３７を回転させることによって前記止め板３１をスライド連動させ、且つ前記水通り穴１５と前記快速通路２６とを連通することができ、前記小歯車３６と前記大歯車３９との間は減速で伝動しており、それによって前記止め板３１の開けられる程度の正確性を高められる。
【００２４】
実施例によって、下記に前記水温検査測定装置１００について詳しく説明し、前記水温検査測定装置１００は前記快速通路２６の右側内壁の中に連通するように設置されたバネ溝２３を含み、前記バネ溝２３の中には熱感応シート２４が固定的に設置され、前記熱感応シート２４の右端には熱伝導バネ２０が固定的に連結され、前記バネ溝２３の右側内壁の中にはスライドガイド溝２２が連通するように形成されており、前記スライドガイド溝２２の中には第一スライド板２１がスライドできるように設置され、前記熱伝導バネ２０の右端が前記第一スライド板２１に固定的に連結され、前記熱感応シート２４によって前記快速通路２６の中の高温廃水の温度を検査測定し、また熱量を前記熱伝導バネ２０に伝導し、更に前記熱伝導バネ２０が伸びて前記第一スライド板２１を推し動かしてスライドさせる。
【００２５】
有益なように、前記スライドガイド溝２２の上下両側内壁の中には凹溝５１が対称的に、且つ連通するように形成されており、前記凹溝５１の中には第二スライド板５３がスライドできるように設置され、前記第二スライド板５３のうち対称中心から離れている一端と前記凹溝５１のうち対称中心から離れている片側内壁との間には復帰バネ５０が固定的に連結され、前記第二スライド板５３の中には左方に開口した引っ掛かり溝５２が設置され、前記凹溝５１の左側内壁の中には連通溝４５が連通するように形成されており、両側の前記連通溝４５がそれぞれ両側の前記水出口２５に連通しており、前記連通溝４５の中には仕切り板４９がスライドできるように設置され、両側の前記仕切り板４９の右端がそれぞれ両側の前記引っ掛かり溝５２の中に滑り込むことができ、前記仕切り板４９の左端と前記連通溝４５の左側内壁との間には伸縮バネ４６が固定的に連結され、前記仕切り板４９の中には連通穴４８が前後に貫通するように設置されている。
【００２６】
有益なように、前記第一スライド板２１がスライドして両側の前記第二スライド板５３を推し動かしてスライドさせ、更に両側の前記仕切り板４９を推し動かしてスライドさせ、更に前記水出口２５と前記連通穴４８とを連通し又は仕切る。
【００２７】
下記に図１〜７を合わせて本発明の使用スッテプについて詳しく説明する：
【００２８】
初期状態の時、スライドロッド３３が上限界位置にあり、この時に両側の止め板３１が当接しており、水通り穴１５と快速通路２６とが連通していなく、前側の連通穴４８と前側の水出口２５とが連通していなく、後側の連通穴４８と後側の水出口２５とが連通していない。
【００２９】
手動輪３７を回転させ、更に連結軸３８によって小歯車３６を回転連動させ、更に大歯車３９を連動させて減速で運動させ、更に方向ガイド輪４０を回転連動させ、方向ガイドロッド３４が螺旋溝３５に沿って下方へスライドし、更にスライドロッド３３を下方へスライド連動させ、更にコンロッド３２を推し動かして揺れ動かせ、更に両側の止め板３１を推し動かして対称中心から離れている方向へスライドさせ、更に水通り穴１５と快速通路２６とを連通し、両側の止め板３１が一定の程度に開けられた時、手動輪３７を手で回転させると角度の誤差があるため、両側の止め板３１の開けられる程度は誤差があり、更に水通り穴１５と快速通路２６との間の連通の程度も誤差があり、小歯車３６と大歯車３９との間は減速で伝動するため、手動輪３７の回転角度の誤差を減少することによって両側の止め板３１の開けられる程度の誤差への影響を減少し、更に水通り穴１５と快速通路２６との間の連通程度がより正確になり、この時に高温廃水は水排出通路１３によってウォーターポンプ１１の中に入り、フィルター１２は廃水内の固定不純物がウォーターポンプ１１の中に入ることを防止でき、ウォーターポンプ１１は高温廃水を貯水通路３０の中にプッシュし、高温廃水はしばらく貯水通路３０に貯蔵され、廃水は水通り穴１５によって快速通路２６の中に入り、更に熱交換パイプ２７と熱交換を行い、熱交換パイプ２７が熱伝導ロッド１７によって熱量を加熱板１８に伝導し、更に貯水チャンバ１６の中の生活用水を加熱し、高温廃水は右方へ流れ続けて熱感応シート２４と接触し、熱感応シート２４が高温廃水の熱交換をした温度を検査測定し、また熱量を熱伝導バネ２０に伝導し、熱伝導バネ２０が高温の影響を受けて伸びて第一スライド板２１を推し動かしてスライドさせ、廃水の温度が高ければ、熱伝導バネ２０の伸びる長さが長くなり、更に第一スライド板２１のスライド距離が長くなり、第一スライド板２１が後側の第二スライド板５３を推し動かして対称中心から離れている方向にスライドさせ、前側の第二スライド板５３は前側の復帰バネ５０の弾力作用の下で対称中心に近接している方向にスライドし、この時に後側の第二スライド板５３が後側の仕切り板４９を推し動かしてスライドさせ、後側の連通穴４８と後側の水出口２５とが連通した時、前側の仕切り板４９がちょうど前側の引っ掛かり溝５２に正対し、この時に前側の伸縮バネ４６が弾力作用の下で前側の仕切り板４９を推し動かして前側の引っ掛かり溝５２の中に滑り込ませ、更に前側の連通穴４８と前側の水出口２５とが連通しなくなり、この時に、熱交換を行った廃水の温度が高すぎて廃水は後側の連通穴４８と後側の水出口２５とによって回流通路４３の中に入り、更に貯水通路３０の中に回流し、快速通路２６の中の廃水は温度が低い時、熱伝導バネ２０が収縮され、更に後側の第二スライド板５３が後側の復帰バネ５０の弾力作用の下で対称中心に近接している方向にスライドし、更に後側の仕切り板４９が後側の伸縮バネ４６の弾力作用の下で後側の引っ掛かり溝５２の中に滑り込み、更に後側の連通穴４８と後側の水出口２５とが連通しなくなり、それと同時に第一スライド板２１が前側の第二スライド板５３を推し動かして対称中心から離れている方向にスライドさせ、更に前側の仕切り板４９を推し動かしてスライドさせ、更に前側の水出口２５と前側の連通穴４８とを連通し、この時に廃水は前側の水出口２５と前側の連通穴４８とによって水排出通路５４の中にプッシュされ、更に回転輪５６を推し動かして回転させ、更に回転輪軸５８を回転連動させ、更に発電機に発電することを駆動する。
【００３０】
本発明の有益な効果は：本発明は熱交換パイプによって高温廃水の熱量を生活用水への加熱のエネルギーとして使い、また水の運動エネルギーを発電のエネルギーとして使え、しかも手で水流の量を制御し、高温廃水の熱交換効率を高められ、廃水を排出する前に水温を検査測定し、水流の流れ方向を制御できる。
【００３１】
上記の方式によって、当業者は本発明の範囲内で作動モードに基づいて様々な変わりを行える。
【図１】
2020197366.tif 000003
【図２】
2020197366.tif 000004
【図３】
2020197366.tif 000005
【図４】
2020197366.tif 000006
【図５】
2020197366.tif 000007
【図６】
2020197366.tif 000008
【図７】
2020197366.tif 000009
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
正面視で、ウォーターポンプを含み、前記ウォーターポンプの左端には水入りパイプが固定的に連結され、前記水入りパイプの中には水入り通路が左右に貫通するように設置され、前記水入り通路が前記ウォーターポンプに連通しており、前記水入り通路の中にはフィルターが固定的に設置され、
前記ウォーターポンプの右端には循環ウォーターパイプが固定的に連結され、前記循環ウォーターパイプの中には左方に開口した貯水通路が設置され、前記貯水通路が前記ウォーターポンプに連通しており、前記貯水通路の右側内壁の中には快速通路が連通するように設置され、
前記快速通路の中には熱交換回収装置が設置され、熱交換回収装置は高温廃水の熱量を生活用の水の加熱に応用し、前記貯水通路の中には水流調節装置が設置され、手で前記水流調節装置を制御することによって前記貯水通路の中から前記快速通路の中に流れる水流の大きさを調節でき、
前記快速通路の前後両側の内壁の中には水出口が対称的に、且つ連通するように設置され、両側の前記水出口は対称中心に背を向ける方向に開口しており、前記快速通路の右側内壁の中には水温検査測定装置が設置され、前記水温検査測定装置は前記快速通路の中の水の温度を検査測定でき、且つ両側の前記水出口の開閉を制御でき、
前側の前記水出口の前側には発電装置が連結され、前記発電装置は水の運動エネルギーを発電するエネルギーとして使い、前記循環ウォーターパイプの後端には回流パイプが固定的に連結され、前記回流パイプの中には回流通路が貫通するように設置され、前記回流通路が前記貯水通路と後側の前記水出口とを連通し、
前記熱交換回収装置は前記循環ウォーターパイプの中に固定的に設置された熱交換パイプを含み、前記熱交換パイプの中には熱交換通路が左右に貫通するように設置され、前記快速通路が前記熱交換通路に連通しており、前記熱交換パイプの上端には熱伝導ロッドが固定的に連結され、前記循環ウォーターパイプの上端には水タンクが固定的に連結され、前記水タンクの中には貯水チャンバが設置され、前記貯水チャンバの中には生活用水が貯蔵されており、前記熱伝導ロッドの上端が前記貯水チャンバの中に伸びており、且つ前記熱伝導ロッドの上端には加熱板が固定的に連結され、
前記発電装置は前記循環ウォーターパイプの前端に固定的に連結された固定ブロックを含み、前記固定ブロックの中には水排出通路が前後に貫通するように設置され、前記水排出通路が前側の前記水出口に正対しており、前記水排出通路の右側内壁の中には連通チャンバが連通するように設置され、前記連通チャンバの上下内壁の間には回転輪軸が回転できるように連結され、前記回転輪軸の外周面には回転輪が固定的に連結され、前記回転輪の左端が前記水排出通路の中に伸びており、前記回転輪軸の下端が前記固定ブロックの外部に伸びており、且つ前記回転輪軸の下端には発電機が連結され、
前記水流調節装置は前記貯水通路の中に固定的に設置された流れ制限板を含み、前記流れ制限板の中には水通り穴が左右に貫通するように設置され、前記水通り穴が前記快速通路に正対しており、前記流れ制限板の右側には止め板が前後対称的に配列され、且つ前後にスライドできるように設置され、前記止め板が前記水通り穴に正対しており、前記水通り穴の上端にはコンロッドがヒンジで連結され、前記コンロッドの上端には上下にスライドできるスライドロッドがヒンジで連結され、
前記循環ウォーターパイプの上端には手動操作箱が固定的に連結され、前記手動操作箱の中には下方に開口した伝動チャンバが設置され、前記スライドロッドの上端が前記伝動チャンバの中に伸びており、前記スライドロッドの右端には方向ガイドロッドが固定的に連結され、前記方向ガイドロッドの右側には方向ガイド輪が回転できるように設置され、前記方向ガイド輪の中には左方に開口した螺旋溝が形成されており、前記方向ガイドロッドの右端が前記螺旋溝の中に伸びており、前記方向ガイド輪の右端には大歯車が固定的に連結され、前記大歯車の右端が前記伝動チャンバの右側内壁に回転できるように連結され、前記大歯車の上端には小歯車が噛み合うように設置され、前記小歯車の右端には連結軸が固定的に連結され、前記連結軸の右端が前記手動操作箱の外部に伸びており、且つ前記連結軸の右端には手動輪が固定的に連結され、
前記止め板の左端が前記流れ制限板に当接しており、前記止め板の右端が前記貯水通路の右側内壁に当接し、
前記手動輪を回転させることによって前記止め板をスライド連動させ、且つ前記水通り穴と前記快速通路とを連通することができ、前記小歯車と前記大歯車との間は減速で伝動しており、それによって前記止め板の開けられる程度の正確性を高められ、
前記水温検査測定装置は前記快速通路の右側内壁の中に連通するように設置されたバネ溝を含み、前記バネ溝の中には熱感応シートが固定的に設置され、前記熱感応シートの右端には熱伝導バネが固定的に連結され、前記バネ溝の右側内壁の中にはスライドガイド溝が連通するように形成されており、前記スライドガイド溝の中には第一スライド板がスライドできるように設置され、前記熱伝導バネの右端が前記第一スライド板に固定的に連結され、
前記スライドガイド溝の前後両側内壁の中には凹溝が対称的に、且つ連通するように形成されており、前記凹溝の中には第二スライド板がスライドできるように設置され、前記第二スライド板のうち対称中心から離れている一端と前記凹溝のうち対称中心から離れている片側内壁との間には復帰バネが固定的に連結され、前記第二スライド板の中には左方に開口した引っ掛かり溝が設置され、前記凹溝の左側内壁の中には連通溝が連通するように形成されており、両側の前記連通溝がそれぞれ両側の前記水出口に連通しており、前記連通溝の中には仕切り板がスライドできるように設置され、両側の前記仕切り板の右端がそれぞれ両側の前記引っ掛かり溝の中に滑り込むことができ、前記仕切り板の左端と前記連通溝の左側内壁との間には伸縮バネが固定的に連結され、前記仕切り板の中には連通穴が前後に貫通するように設置され、
前記第一スライド板がスライドして両側の前記第二スライド板を推し動かしてスライドさせ、更に両側の前記仕切り板を推し動かしてスライドさせ、更に前記水出口と前記連通穴とを連通し又は仕切ることを特徴とする高温廃水の循環利用装置。
【手続補正２】
【補正対象書類名】明細書
【補正対象項目名】全文
【補正方法】変更
【補正の内容】
【発明の詳細な説明】
【技術分野】
【０００１】
本発明は廃水処理分野に関わり、具体的には高温廃水の循環利用装置である。
【背景技術】
【０００２】
工業廃水を排出する時に廃水の温度が高いため、一般的に高温の廃水の余熱を回収し、熱水の熱量を循環利用し、エネルギーの浪費を減少し、高温廃水は回収された後に生産プロセスに使われ、又はボイラーの中に入れて発電に使用され、又は生活エネルギーとして使われ、しかし、今まで高温廃水を回収する方式は単一で、回収利用率は低く、エネルギーの浪費問題が厳しいのであり、本発明は高温廃水の循環利用装置を開示し、上記の問題を解決でき、本発明は熱交換パイプによって高温廃水の熱量を生活用水への加熱のエネルギーとして使い、また水の運動エネルギーを発電のエネルギーとして使え、しかも手で水流の量を制御し、高温廃水の熱交換効率を高められ、廃水を排出する前に水温を検査測定し、水流の流れ方向を制御できる。
【先行技術文献】
【特許文献】
【０００３】
【特許文献１】中国特許出願公開第１０５５８７００７号明細書
【発明の概要】
【発明が解決しようとする課題】
【０００４】
技術上の問題：
高温廃水の回収方式が単一で、回収利用率が低く、エネルギーの浪費問題が深刻である。
【課題を解決するための手段】
【０００５】
上記の問題を解決するために、本発明の実施例は高温廃水の循環利用装置をデザインし、本発明の実施例の高温廃水の循環利用装置は、ウォーターポンプを含み、前記ウォーターポンプの左端には水入りパイプが固定的に連結され、前記水入りパイプの中には水入り通路が左右に貫通するように設置され、前記水入り通路が前記ウォーターポンプに連通しており、前記水入り通路の中にはフィルターが固定的に設置され、高温廃水は前記水入り通路によって前記ウォーターポンプの中に流れ込み、前記フィルターは水の中の固体不純物が前記ウォーターポンプの中に流れ込むことを回避でき、前記ウォーターポンプの右端には循環ウォーターパイプが固定的に連結され、前記循環ウォーターパイプの中には左方に開口した貯水通路が設置され、前記貯水通路が前記ウォーターポンプに連通しており、前記貯水通路の右側内壁の中には快速通路が連通するように設置され、前記快速通路の中には熱交換回収装置が設置され、熱交換回収装置は高温廃水の熱量を生活用の水の加熱に応用し、前記貯水通路の中には水流調節装置が設置され、手で前記水流調節装置を制御することによって前記貯水通路の中から前記快速通路の中に流れる水流の大きさを調節でき、前記快速通路の前後両側の内壁の中には水出口が対称的に、且つ連通するように設置され、両側の前記水出口は対称中心に背を向ける方向に開口しており、前記快速通路の右側内壁の中には水温検査測定装置が設置され、前記水温検査測定装置は前記快速通路の中の水の温度を検査測定でき、且つ両側の前記水出口の開閉を制御でき、前側の前記水出口の前側には発電装置が連結され、前記発電装置は水の運動エネルギーを発電するエネルギーとして使い、前記循環ウォーターパイプの後端には回流パイプが固定的に連結され、前記回流パイプの中には回流通路が貫通するように設置され、前記回流通路が前記貯水通路と後側の前記水出口とを連通する。
【０００６】
有益なように、前記熱交換回収装置は前記循環ウォーターパイプの中に固定的に設置された熱交換パイプを含み、前記熱交換パイプの中には熱交換通路が左右に貫通するように設置され、前記快速通路が前記熱交換通路に連通しており、前記熱交換パイプの上端には熱伝導ロッドが固定的に連結され、前記循環ウォーターパイプの上端には水タンクが固定的に連結され、前記水タンクの中には貯水チャンバが設置され、前記貯水チャンバの中には生活用水が貯蔵されており、前記熱伝導ロッドの上端が前記貯水チャンバの中に伸びており、且つ前記熱伝導ロッドの上端には加熱板が固定的に連結され、前記熱交換パイプと高温廃水との接触によって、高温廃水の熱量を前記熱伝導ロッドによって前記加熱板に伝導し、更に前記貯水チャンバの中の水を加熱する。
【０００７】
有益なように、前記発電装置は前記循環ウォーターパイプの前端に固定的に連結された固定ブロックを含み、前記固定ブロックの中には水排出通路が前後に貫通するように設置され、前記水排出通路が前側の前記水出口に正対しており、前記水排出通路の右側内壁の中には連通チャンバが連通するように設置され、前記連通チャンバの上下内壁の間には回転輪軸が回転できるように連結され、前記回転輪軸の外周面には回転輪が固定的に連結され、前記回転輪の左端が前記水排出通路の中に伸びており、前記回転輪軸の下端が前記固定ブロックの外部に伸びており、且つ前記回転輪軸の下端には発電機が連結され、廃水が快速に前記水排出通路を通り、且つ前記回転輪を回転連動させ、更に前記回転輪軸を回転連動させ、更に前記発電機に発電することを駆動し始める。
【０００８】
有益なように、前記水流調節装置は前記貯水通路の中に固定的に設置された流れ制限板を含み、前記流れ制限板の中には水通り穴が左右に貫通するように設置され、前記水通り穴が前記快速通路に正対しており、前記流れ制限板の右側には止め板が前後対称的に配列され、且つ前後にスライドできるように設置され、前記止め板が前記水通り穴に正対しており、前記水通り穴の上端にはコンロッドがヒンジで連結され、前記コンロッドの上端には上下にスライドできるスライドロッドがヒンジで連結され、前記循環ウォーターパイプの上端には手動操作箱が固定的に連結され、前記手動操作箱の中には下方に開口した伝動チャンバが設置され、前記スライドロッドの上端が前記伝動チャンバの中に伸びており、前記スライドロッドの右端には方向ガイドロッドが固定的に連結され、前記方向ガイドロッドの右側には方向ガイド輪が回転できるように設置され、前記方向ガイド輪の中には左方に開口した螺旋溝が形成されており、前記方向ガイドロッドの右端が前記螺旋溝の中に伸びており、前記方向ガイド輪の右端には大歯車が固定的に連結され、前記大歯車の右端が前記伝動
チャンバの右側内壁に回転できるように連結され、前記大歯車の上端には小歯車が噛み合うように設置され、前記小歯車の右端には連結軸が固定的に連結され、前記連結軸の右端が前記手動操作箱の外部に伸びており、且つ前記連結軸の右端には手動輪が固定的に連結されている。
【０００９】
好ましくは、前記止め板の左端が前記流れ制限板に当接しており、前記止め板の右端が前記貯水通路の右側内壁に当接している。
【００１０】
好ましくは、前記手動輪を回転させることによって前記止め板をスライド連動させ、且つ前記水通り穴と前記快速通路とを連通することができ、前記小歯車と前記大歯車との間は減速で伝動しており、それによって前記止め板の開けられる程度の正確性を高められる。
【００１１】
有益なように、前記水温検査測定装置は前記快速通路の右側内壁の中に連通するように設置されたバネ溝を含み、前記バネ溝の中には熱感応シートが固定的に設置され、前記熱感応シートの右端には熱伝導バネが固定的に連結され、前記バネ溝の右側内壁の中にはスライドガイド溝が連通するように形成されており、前記スライドガイド溝の中には第一スライド板がスライドできるように設置され、前記熱伝導バネの右端が前記第一スライド板に固定的に連結され、前記熱感応シートによって前記快速通路の中の高温廃水の温度を検査測定し、また熱量を前記熱伝導バネに伝導し、更に前記熱伝導バネが伸びて前記第一スライド板を推し動かしてスライドさせる。
【００１２】
好ましくは、前記スライドガイド溝の前後両側内壁の中には凹溝が対称的に、且つ連通するように形成されており、前記凹溝の中には第二スライド板がスライドできるように設置され、前記第二スライド板のうち対称中心から離れている一端と前記凹溝のうち対称中心から離れている片側内壁との間には復帰バネが固定的に連結され、前記第二スライド板の中には左方に開口した引っ掛かり溝が設置され、前記凹溝の左側内壁の中には連通溝が連通するように形成されており、両側の前記連通溝がそれぞれ両側の前記水出口に連通しており、前記連通溝の中には仕切り板がスライドできるように設置され、両側の前記仕切り板の右端がそれぞれ両側の前記引っ掛かり溝の中に滑り込むことができ、前記仕切り板の左端と前記連通溝の左側内壁との間には伸縮バネが固定的に連結され、前記仕切り板の中には連通穴が前後に貫通するように設置されている。
【００１３】
好ましくは、前記第一スライド板がスライドして両側の前記第二スライド板を推し動かしてスライドさせ、更に両側の前記仕切り板を推し動かしてスライドさせ、更に前記水出口と前記連通穴とを連通し又は仕切る。
【発明の効果】
【００１４】
本発明の有益な効果は：本発明は熱交換パイプによって高温廃水の熱量を生活用水への加熱のエネルギーとして使い、また水の運動エネルギーを発電のエネルギーとして使え、しかも手で水流の量を制御し、高温廃水の熱交換効率を高められ、廃水を排出する前に水温を検査測定し、水流の流れ方向を制御できる。
【図面の簡単な説明】
【００１５】
説明しやすいために、本発明を下記の具体的な実施例及び附図をもって詳しく説明する。下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の高温廃水の循環利用装置の全体構成概略図
【図２】図２は図１の「Ａ」の拡大構成概略図
【図３】図３は図１の「Ｂ―Ｂ」方向の構成概略図
【図４】図４は図２の「Ｃ―Ｃ」方向の構成概略図
【図５】図５は図２の「Ｄ―Ｄ」方向の構成概略図
【図６】図６は図３の「Ｅ」の拡大構成概略図
【図７】図７は図６の「Ｆ―Ｆ」方向の構成概略図
【発明を実施するための形態】
【００１７】
本発明は高温廃水の循環利用装置に関わり、主に高温廃水の余熱の回収に応用し、下記に本発明の付図を合わせて本発明にさらなる説明を行う。
【００１８】
本発明に説明する高温廃水の循環利用装置は、ウォーターポンプ１１を含み、前記ウォーターポンプ１１の左端には水入りパイプ１４が固定的に連結され、前記水入りパイプ１４の中には水入り通路１３が左右に貫通するように設置され、前記水入り通路１３が前記ウォーターポンプ１１に連通しており、前記水入り通路１３の中にはフィルター１２が固定的に設置され、高温廃水は前記水入り通路１３によって前記ウォーターポンプ１１の中に流れ込み、前記フィルター１２は水の中の固体不純物が前記ウォーターポンプ１１の中に流れ込むことを回避でき、前記ウォーターポンプ１１の右端には循環ウォーターパイプ２８が固定的に連結され、前記循環ウォーターパイプ２８の中には左方に開口した貯水通路３０が設置され、前記貯水通路３０が前記ウォーターポンプ１１に連通しており、前記貯水通路３０の右側内壁の中には快速通路２６が連通するように設置され、前記快速通路２６の中には熱交換回収装置１０２が設置され、熱交換回収装置１０２は高温廃水の熱量を生活用の水の加熱に応用し、前記貯水通路３０の中には水流調節装置１０１が設置され、手で前記水流調節装置１０１を制御することによって前記貯水通路３０の中から前記快速通路２６の中に流れる水流の大きさを調節でき、前記快速通路２６の前後両側の内壁の中には水出口２５が対称的に、且つ連通するように設置され、両側の前記水出口２５は対称中心に背を向ける方向に開口しており、前記快速通路２６の右側内壁の中には水温検査測定装置１００が設置され、前記水温検査測定装置１００は前記快速通路２６の中の水の温度を検査測定でき、且つ両側の前記水出口２５の開閉を制御でき、前側の前記水出口２５の前側には発電装置１０３が連結され、前記発電装置１０３は水の運動エネルギーを発電するエネルギーとして使い、前記循環ウォーターパイプ２８の後端には回流パイプ４４が固定的に連結され、前記回流パイプ４４の中には回流通路４３が貫通するように設置され、前記回流通路４３が前記貯水通路３０と後側の前記水出口２５とを連通する。
【００１９】
実施例によって、下記に前記熱交換回収装置１０２について詳しく説明し、前記熱交換回収装置１０２は前記循環ウォーターパイプ２８の中に固定的に設置された熱交換パイプ２７を含み、前記熱交換パイプ２７の中には熱交換通路６０が左右に貫通するように設置され、前記快速通路２６が前記熱交換通路６０に連通しており、前記熱交換パイプ２７の上端には熱伝導ロッド１７が固定的に連結され、前記循環ウォーターパイプ２８の上端には水タンク１９が固定的に連結され、前記水タンク１９の中には貯水チャンバ１６が設置され、前記貯水チャンバ１６の中には生活用水が貯蔵されており、前記熱伝導ロッド１７の上端が前記貯水チャンバ１６の中に伸びており、且つ前記熱伝導ロッド１７の上端には加熱板１８が固定的に連結され、前記熱交換パイプ２７と高温廃水との接触によって、高温廃水の熱量を前記熱伝導ロッド１７によって前記加熱板１８に伝導し、更に前記貯水チャンバ１６の中の水を加熱する。
【００２０】
実施例によって、下記に前記発電装置１０３について詳しく説明し、前記発電装置１０３は前記循環ウォーターパイプ２８の前端に固定的に連結された固定ブロック５５を含み、前記固定ブロック５５の中には水排出通路５４が前後に貫通するように設置され、前記水排出通路５４が前側の前記水出口２５に正対しており、前記水排出通路５４の右側内壁の中には連通チャンバ５７が連通するように設置され、前記連通チャンバ５７の上下内壁の間には回転輪軸５８が回転できるように連結され、前記回転輪軸５８の外周面には回転輪５６が固定的に連結され、前記回転輪５６の左端が前記水排出通路５４の中に伸びており、前記回転輪軸５８の下端が前記固定ブロック５５の外部に伸びており、且つ前記回転輪軸５８の下端には発電機５９が連結され、廃水が快速に前記水排出通路５４を通り、且つ前記回転輪５６を回転連動させ、更に前記回転輪軸５８を回転連動させ、更に前記発電機５９に発電することを駆動し始める。
【００２１】
実施例によって、下記に前記水流調節装置１０１について詳しく説明し、前記水流調節装置１０１は前記貯水通路３０の中に固定的に設置された流れ制限板２９を含み、前記流れ制限板２９の中には水通り穴１５が左右に貫通するように設置され、前記水通り穴１５が前記快速通路２６に正対しており、前記流れ制限板２９の右側には止め板３１が前後対称的に配列され、且つ前後にスライドできるように設置され、前記止め板３１が前記水通り穴１５に正対しており、前記水通り穴１５の上端にはコンロッド３２がヒンジで連結され、前記コンロッド３２の上端には上下にスライドできるスライドロッド３３がヒンジで連結され、前記循環ウォーターパイプ２８の上端には手動操作箱４１が固定的に連結され、前記手動操作箱４１の中には下方に開口した伝動チャンバ４２が設置され、前記スライドロッド３３の上端が前記伝動チャンバ４２の中に伸びており、前記スライドロッド３３の右端には方向ガイドロッド３４が固定的に連結され、前記方向ガイドロッド３４の右側には方向ガイド輪４０が回転できるように設置され、前記方向ガイド輪４０の中には左方に開口した螺旋溝３５が形成されており、前記方向ガイドロッド３４の右端が前記螺旋溝３５の中に伸びており、前記方向ガイド輪４０の右端には大歯車３９が固定的に連結され、前記大歯車３９の右端が前記伝動チャンバ４２の右側内壁に回転できるように連結され、前記大歯車３９の上端には小歯車３６が噛み合うように設置され、前記小歯車３６の右端には連結軸３８が固定的に連結され、前記連結軸３８の右端が前記手動操作箱４１の外部に伸びており、且つ前記連結軸３８の右端には手動輪３７が固定的に連結されている。
【００２２】
有益なように、前記止め板３１の左端が前記流れ制限板２９に当接しており、前記止め板３１の右端が前記貯水通路３０の右側内壁に当接している。
【００２３】
有益なように、前記手動輪３７を回転させることによって前記止め板３１をスライド連動させ、且つ前記水通り穴１５と前記快速通路２６とを連通することができ、前記小歯車３６と前記大歯車３９との間は減速で伝動しており、それによって前記止め板３１の開けられる程度の正確性を高められる。
【００２４】
実施例によって、下記に前記水温検査測定装置１００について詳しく説明し、前記水温検査測定装置１００は前記快速通路２６の右側内壁の中に連通するように設置されたバネ溝２３を含み、前記バネ溝２３の中には熱感応シート２４が固定的に設置され、前記熱感応シート２４の右端には熱伝導バネ２０が固定的に連結され、前記バネ溝２３の右側内壁の中にはスライドガイド溝２２が連通するように形成されており、前記スライドガイド溝２２の中には第一スライド板２１がスライドできるように設置され、前記熱伝導バネ２０の右端が前記第一スライド板２１に固定的に連結され、前記熱感応シート２４によって前記快速通路２６の中の高温廃水の温度を検査測定し、また熱量を前記熱伝導バネ２０に伝導し、更に前記熱伝導バネ２０が伸びて前記第一スライド板２１を推し動かしてスライドさせる。
【００２５】
有益なように、前記スライドガイド溝２２の前後両側内壁の中には凹溝５１が対称的に、且つ連通するように形成されており、前記凹溝５１の中には第二スライド板５３がスライドできるように設置され、前記第二スライド板５３のうち対称中心から離れている一端と前記凹溝５１のうち対称中心から離れている片側内壁との間には復帰バネ５０が固定的に連結され、前記第二スライド板５３の中には左方に開口した引っ掛かり溝５２が設置され、前記凹溝５１の左側内壁の中には連通溝４５が連通するように形成されており、両側の前記連通溝４５がそれぞれ両側の前記水出口２５に連通しており、前記連通溝４５の中には仕切り板４９がスライドできるように設置され、両側の前記仕切り板４９の右端がそれぞれ両側の前記引っ掛かり溝５２の中に滑り込むことができ、前記仕切り板４９の左端と前記連通溝４５の左側内壁との間には伸縮バネ４６が固定的に連結され、前記仕切り板４９の中には連通穴４８が前後に貫通するように設置されている。
【００２６】
有益なように、前記第一スライド板２１がスライドして両側の前記第二スライド板５３を推し動かしてスライドさせ、更に両側の前記仕切り板４９を推し動かしてスライドさせ、更に前記水出口２５と前記連通穴４８とを連通し又は仕切る。
【００２７】
下記に図１〜７を合わせて本発明の使用スッテプについて詳しく説明する：
【００２８】
初期状態の時、スライドロッド３３が上限界位置にあり、この時に両側の止め板３１が当接しており、水通り穴１５と快速通路２６とが連通していなく、前側の連通穴４８と前側の水出口２５とが連通していなく、後側の連通穴４８と後側の水出口２５とが連通していない。
【００２９】
手動輪３７を回転させ、更に連結軸３８によって小歯車３６を回転連動させ、更に大歯車３９を連動させて減速で運動させ、更に方向ガイド輪４０を回転連動させ、方向ガイドロッド３４が螺旋溝３５に沿って下方へスライドし、更にスライドロッド３３を下方へスライド連動させ、更にコンロッド３２を推し動かして揺れ動かせ、更に両側の止め板３１を推し動かして対称中心から離れている方向へスライドさせ、更に水通り穴１５と快速通路２６とを連通し、両側の止め板３１が一定の程度に開けられた時、手動輪３７を手で回転させると角度の誤差があるため、両側の止め板３１の開けられる程度は誤差があり、更に水通り穴１５と快速通路２６との間の連通の程度も誤差があり、小歯車３６と大歯車３９との間は減速で伝動するため、手動輪３７の回転角度の誤差を減少することによって両側の止め板３１の開けられる程度の誤差への影響を減少し、更に水通り穴１５と快速通路２６との間の連通程度がより正確になり、この時に高温廃水は水排出通路１３によってウォーターポンプ１１の中に入り、フィルター１２は廃水内の固定不純物がウォーターポンプ１１の中に入ることを防止でき、ウォーターポンプ１１は高温廃水を貯水通路３０の中にプッシュし、高温廃水はしばらく貯水通路３０に貯蔵され、廃水は水通り穴１５によって快速通路２６の中に入り、更に熱交換パイプ２７と熱交換を行い、熱交換パイプ２７が熱伝導ロッド１７によって熱量を加熱板１８に伝導し、更に貯水チャンバ１６の中の生活用水を加熱し、高温廃水は右方へ流れ続けて熱感応シート２４と接触し、熱感応シート２４が高温廃水の熱交換をした温度を検査測定し、また熱量を熱伝導バネ２０に伝導し、熱伝導バネ２０が高温の影響を受けて伸びて第一スライド板２１を推し動かしてスライドさせ、廃水の温度が高ければ、熱伝導バネ２０の伸びる長さが長くなり、更に第一スライド板２１のスライド距離が長くなり、第一スライド板２１が後側の第二スライド板５３を推し動かして対称中心から離れている方向にスライドさせ、前側の第二スライド板５３は前側の復帰バネ５０の弾力作用の下で対称中心に近接している方向にスライドし、この時に後側の第二スライド板５３が後側の仕切り板４９を推し動かしてスライドさせ、後側の連通穴４８と後側の水出口２５とが連通した時、前側の仕切り板４９がちょうど前側の引っ掛かり溝５２に正対し、この時に前側の伸縮バネ４６が弾力作用の下で前側の仕切り板４９を推し動かして前側の引っ掛かり溝５２の中に滑り込ませ、更に前側の連通穴４８と前側の水出口２５とが連通しなくなり、この時に、熱交換を行った廃水の温度が高すぎて廃水は後側の連通穴４８と後側の水出口２５とによって回流通路４３の中に入り、更に貯水通路３０の中に回流し、快速通路２６の中の廃水は温度が低い時、熱伝導バネ２０が収縮され、更に後側の第二スライド板５３が後側の復帰バネ５０の弾力作用の下で対称中心に近接している方向にスライドし、更に後側の仕切り板４９が後側の伸縮バネ４６の弾力作用の下で後側の引っ掛かり溝５２の中に滑り込み、更に後側の連通穴４８と後側の水出口２５とが連通しなくなり、それと同時に第一スライド板２１が前側の第二スライド板５３を推し動かして対称中心から離れている方向にスライドさせ、更に前側の仕切り板４９を推し動かしてスライドさせ、更に前側の水出口２５と前側の連通穴４８とを連通し、この時に廃水は前側の水出口２５と前側の連通穴４８とによって水排出通路５４の中にプッシュされ、更に回転輪５６を推し動かして回転させ、更に回転輪軸５８を回転連動させ、更に発電機に発電することを駆動する。
【００３０】
本発明の有益な効果は：本発明は熱交換パイプによって高温廃水の熱量を生活用水への加熱のエネルギーとして使い、また水の運動エネルギーを発電のエネルギーとして使え、しかも手で水流の量を制御し、高温廃水の熱交換効率を高められ、廃水を排出する前に水温を検査測定し、水流の流れ方向を制御できる。
【００３１】
上記の方式によって、当業者は本発明の範囲内で作動モードに基づいて様々な変わりを行える。